(57)【要約】【課題】前面フードとパイプガイドとの隙間からの風雨の浸入も圧力損失を低減しつつ止水の確実性を向上でき、さらに、前面フードの構造を簡単、コンパクトにして外壁に対応させる場合の選択を容易とし、また、着脱も容易にできメンテナンスや清掃の作業性も向上できるベントキャップを得る。【解決手段】ベース板４の背面側に筒体のパイプガイド５を設け、前面側に隙間を存して前面フード６を取り付けたベントキャップ３において、前記ベース板４と前面フード６との間に形成された隙間に位置させて、ベース板４から外側防雨板８と内側防雨板９とを突設した。【選択図】        図１
2008138955.tif 000002
【特許請求の範囲】
【請求項１】
ベース板の背面側に筒体のパイプガイドを設け、前面側に隙間を存して前面フードを取り付けたベントキャップにおいて、前記ベース板と前面フードとの間に形成された隙間に位置させて、ベース板から外側防雨板と内側防雨板とを突設したことを特徴とするベントキャップ。
【請求項２】
前記外側防雨板は側面部に切欠き部を形成し、折返し部を有する板状の内側防雨板を前記切欠き部に対応する位置に配置する請求項１記載のベントキャップ。
【請求項３】
前記内側防雨板は筒状体に形成する請求項１記載のベントキャップ。
【発明の詳細な説明】
【技術分野】
【０００１】
本発明は、ベントキャップに係り、特に建築物の壁に設けられた通気ダクトに設置される給排気ベントキャップに関するものである。
【背景技術】
【０００２】
図９に従来のベントキャップの一例を示すと、図中１は外壁、２はこの外壁１を貫通する外壁貫通給排気ダクトを示し、ベントキャップ３はこの給排気ダクト２の開口に設置されるもので、これはベース板４の背面側（屋内側）に円筒体のパイプガイド５を設け、ベース板４の前面側（屋外側）を前面フード６で覆っている。
【０００３】
前記前面フード６は給排気に支障をきたさないよう、パイプガイド５との間には隙間が形成されるよう外側に突出して配設されるが、この隙間から風雨がパイプガイド５内に浸入するおそれがある。
【０００４】
そこで、かかる不都合を解消する手段として、例えば前面フードを外壁貫通部よりも大きくしたものや（例えば特許文献１参照）、前面フード４を外側部分と内側部分との二重構造としたものがある（例えば特許文献２参照）。
【０００５】
これは、外側部分を略円盤状もしくは略方形状に形成し、内側部分をパイプガイドの方向に突出するフード部とこのフード部の端縁から外方に延出する折返し部を一体に形成したもので、このような二重構造によって風雨の吹込みを効率的に防止するものである。
【特許文献１】特開２００２−２４３２３０号公報
【特許文献２】特開平９−３３０８３号公報
【発明の開示】
【発明が解決しようとする課題】
【０００６】
前面フードは、外壁面から外方に突出した状態で設置されるものであり、外壁面とは意匠的な面で統一性があることが望まれ、外壁の態様に対応させて簡単に選択できることが望まれる。また、清掃やメンテナンスのためにも前面フードは容易に交換できるほうがよい。
【０００７】
しかしながら、前記特開２００２−２４３２３０号公報に記載の前面フードは外壁貫通開口に比べ大きく、また特開平９−３３０８３号公報に記載の前面フードは風雨の浸入防止のために二重構造としているため、大掛りなものとなり、着脱や交換作業に手間取り、清掃作業性やメンテナンス性もよくない。
【０００８】
また、外壁にあわせるためには前面フードのフェース面すなわち外側部分のみの選択で足りるところを、外側部分と内側部分とが一体になっている構造のため、前面フード全体を取替えることとなって、作業性がよくなく、コスト的にも嵩む。
【０００９】
本発明は前面フードとパイプガイドとの隙間からの風雨の浸入も圧力損失を低減しつつ止水の確実性を向上でき、さらに前記従来例の不都合を解消し、前面フードの構造を簡単、コンパクトにして外壁に対応させる場合の選択を容易とし、また、着脱も容易としメンテナンスや清掃の作業性も向上できるベントキャップを提供するものである。
【課題を解決するための手段】
【００１０】
請求項１記載の発明は、ベース板の背面側に筒体のパイプガイドを設け、前面側に隙間を存して前面フードを取り付けたベントキャップにおいて、前記ベース板と前面フードとの間に形成された隙間に位置させて、ベース板から外側防雨板と内側防雨板とを突設したことを要旨とするものである。
【００１１】
請求項１記載の本発明によれば、ベース板と前面フードとの間に形成される隙間に外側防雨板と内側防雨板とによる二重の防雨板を配設することで、前記隙間から風雨がパイプガイドの内部に浸入することを防止できる。
【００１２】
この場合、外側防雨板と内側防雨板とはベース板から突設してあるから、前面フードの形状を例えば単純な円盤形とすることができ、簡単な構造のものにできてコンパクトでコストダウンを図れるだけでなく、容易に着脱、交換ができ、外壁に適合したものに容易に選択でき、また、メンテナンスや清掃の作業性も向上する。
【００１３】
請求項２記載の発明は、前記外側防雨板は側面部に切欠き部を形成し、折返し部を有する板状の内側防雨板を前記切欠き部に対応する位置に配置することを要旨とするものである。
【００１４】
請求項２記載の本発明によれば、外側防雨板の側面部に切欠き部を形成することで、圧力損失を低減できる。この場合、前記切欠き部から雨水がパイプガイド内に浸入するおそれがあるが、これに対しては切欠き部に対応する位置にのみ板状の内側防雨板を配設することで雨水浸入防止が図れる。
【００１５】
特に折返し部を設けたことでこれにそって雨水が方向変換して外側に向かって流れるようになるから、ベントキャップ内部により浸入しにくくなり、左右の内側防雨板間の距離も折返し部を設けない場合に比較して長くでき、パイプガイドの開口面積の減少も少なくできる。
【００１６】
請求項３記載の発明は、前記内側防雨板は筒状体に形成することを要旨とするものである。
【００１７】
請求項３記載の本発明によれば、内側防雨板を筒体状に形成することで、外側防雨板や前面フードの形状も全体的に筒状とすることができ、全周において給排気を行うことができ、圧力損失を確実に低減できる。
【発明の効果】
【００１８】
以上述べたように本発明のベントキャップは、前面フードとベース板との間に内側防雨板と外側防雨板とを配設する場合に、内外の防雨板をベース板に取り付けることで、前面フードとパイプガイドとの隙間からの風雨の浸入も圧力損失を低減しつつ止水の確実性を向上でき、さらに、前面フードの構造を簡単、コンパクトにして外壁に対応させる場合の選択を容易とし、また、前面フードの着脱も容易にできメンテナンスや清掃の作業性も向上できるものである。
【発明を実施するための最良の形態】
【００１９】
以下、図面について本発明の実施形態を詳細に説明する。図１は本発明のベントキャップの第１実施形態を示す一部切欠いた側面図、図２は同上一部切欠いた正面図、図３は同上一部切欠いた平面図で、図９に示した従来例と同一の構成要素には同一の参照符号を付して、詳細な説明は省略する。
【００２０】
本発明のベントキャップ３も基本構成は従来と同様、外壁１を貫通する給排気ダクト２の開口に設置されるもので、ベース板４の背面側（屋内側）に円筒体のパイプガイド５を設け、ベース板４の前面側（屋外側）を給排気用の隙間を設けて前面フード６で覆う。図中７は前面フード６をベース板４に取り付けるためのステーを示し、ベース板４との接合部分をボルト接合とすることで外壁に対応させる場合の選択、取り付け後の着脱が容易にできるようにした。なお、前面フード６、ステー７及び外側防雨板８を一体に形成し当該部分とベース板４の接合部をボルト接合としてもよい。
【００２１】
本発明では、ベース板４も前面フード６も円盤状に形成するとともに、両者の直径を等しく形成した。
【００２２】
かかる構成のベントキャップ３において、さらに、ベース板４の前部にリング状の外側防雨板８を取り付ける。この場合、外側防雨板８と前面フード６との間にはなお隙間が残るような高さに外側防雨板８のリング幅を設定する。この外側防雨板８には、左右側部にさらに給排気用の切欠き部８ａを形成し、給排気のための開口をベントキャップ３の側部において大きく確保する。
【００２３】
ベントキャップ３の側部において切欠き部８ａにより大きく形成された開口からの雨水の浸入を防止する手段として、前記切欠き部８ａに対応する位置に内側防雨板９をベース板４から突設する。この内側防雨板９は、第１実施形態では前面フード６の方向に直角に折り曲げた折り曲げ部９ａを有するＬ字形の板状のもので、この折り曲げ部９ａがパイプガイド５の内方部にわずかにかかるように配置して取り付ける。
【００２４】
折り曲げ部９ａの突出高さは、図４に示すように前面フード６の幅との関係において、遮断する雨水入射角を決定するもので、外側防雨板８の切欠き部８ａからの雨水浸入を防止するものとして、雨水入射角はパイプガイド５の先端の端部からベントキャップ３内を対角線上に前面フード６端部へと結んだ仮想線と、同じくパイプガイド５の先端の端部からベントキャップ３内を対角線上である外側防雨板８の切欠き部８ａの先端部とを結んだ仮想線との間を雨水入射角として設定した。
【００２５】
なお、雨水入射角の設定は前記に限定されるものではなく、図５〜図８にも示すように、例えばパイプガイド５のベース板４側の端部と前面フード６の端部を結んだ仮想線と、外側防雨板８の切欠き部８ａの先端部との間を雨水入射角として設定することもでき、この場合はより止水性を確保できる。
【００２６】
そして、この雨水入射角を遮るようにしてベース板４から内側防雨板９を突設する。これによりベース板４と前面フード６との間に全周にわたって形成された隙間に外側防雨板８と内側防雨板９とによる二重構造の雨水浸入防止手段が配設される。
【００２７】
次に作用について説明する。ベントキャップ３内に浸入しようとする雨水は、まず、外側防雨板８で遮断されるが、切欠き部８ａにより大きく確保された開口から内部に浸入した雨水は、内側防雨板９により遮断されてパイプガイド５内に浸入することが阻止される。
【００２８】
この場合、内側防雨板９に当った雨水は、折り曲げ部９ａにそって流れ、ベントキャップ３の外側に向かって流れるように流れの方向が変換されるから、パイプガイド５内への浸入を確実に阻止できる。
【００２９】
このようにして切欠き部８ａを設けることで圧力損失を低減しつつ、雨水浸入を確実に防止するものであるが、さらに、内側防雨板９に折り曲げ部９ａを設けることにより、この折り曲げ部９ａの先端部がベース板４から前面フード６の方向に突出してこの部分で雨水浸入を防止できるから、折り曲げ部のない完全に平板状の防雨板に比較して、左右の内側防雨板９間の間隔を大きく設定できる。
【００３０】
これにより、前面フード６の直径をベース板４と等しいコンパクトなものに形成しつつ、内側防雨板９によって塞がれるパイプガイド５の開口面積を少なくできて圧力損失を低減できる。
【００３１】
図５は第２実施形態を示し、雨水入射角をパイプガイド５の前面フード６側の先端と前面フード６の端部とを対角線で結ぶ線上と、パイプガイド５の先端の延長線上と間の角度とし、この範囲内に折り曲げ部９ａの先端を位置させた。これにより、第２実施形態ではパイプガイド５の手前で雨水浸入を防止できる。
【００３２】
図６は第３実施形態を示し、内側防雨板９の全体形状を略コ字形とし、ベース板４への取り付け部のうち、外周側の端部から前面フード６の方向に直角に折り曲げた後、その先端をさらに内側に直角に、すなわち前面フード６と平行に折り曲げて、折返し部９ｂとした。
【００３３】
図７は第４実施形態を示し、これは第３実施形態と基本的には同様の構造であるが、折返し部９ｂを前面フード６側に近づけて、その分だけ前面フード６と平行する折返し部９ｂの長さを短くした。
【００３４】
第３、第４実施形態ともに、前面フード６と平行する折返し部９ｂの先端の位置は、第２実施形態で説明した雨水入射角を決定する対角線上に達するものにする。
【００３５】
図８は第５実施形態を示し、内側防雨板９を円筒状に形成し、ベース板４から前面フード６の方向に向けて突設した。この場合は、第１から第４実施形態に比較して側部だけでなく、全周にわたって内側防雨板９が突出するため、圧力損失の点においては第１から第４実施形態よりも劣るが、全周で雨水浸入を防止できるため、止水性においては優れる。
【００３６】
この第５実施形態の場合も、内側防雨板９の円筒の先端は、雨水入射角を決定する対角線上に達するものとする。
【図面の簡単な説明】
【００３７】
【図１】本発明のベントキャップの第１実施形態を示す一部切欠いた側面図である。
【図２】本発明のベントキャップの第１実施形態を示す一部切欠いた正面図である。
【図３】本発明のベントキャップの第１実施形態を示す一部切欠いた平面図である。
【図４】本発明のベントキャップの第１実施形態を示す入射角を説明する平面図である。
【図５】本発明のベントキャップの第２実施形態を示す横断平面図である。
【図６】本発明のベントキャップの第３実施形態を示す横断平面図である。
【図７】本発明のベントキャップの第４実施形態を示す横断平面図である。
【図８】本発明のベントキャップの第５実施形態を示す横断平面図である。
【図９】ベントキャップの従来例を示す横断平面図である。
【符号の説明】
【００３８】
１  外壁                        ２  給排気ダクト
３  ベントキャップ              ４  ベース板
５  パイプガイド                ６  前面フード
７  ステー                      ８  外側防雨板
８ａ  切欠き部                  ９  内側防雨板
９ａ  折り曲げ部                ９ｂ  折返し部
【図１】
2008138955.tif 000003
【図２】
2008138955.tif 000004
【図３】
2008138955.tif 000005
【図４】
2008138955.tif 000006
【図５】
2008138955.tif 000007
【図６】
2008138955.tif 000008
【図７】
2008138955.tif 000009
【図８】
2008138955.tif 000010
【図９】
2008138955.tif 000011